(57)【特許請求の範囲】
【請求項１】
子供の臀部が載るボトムシート（５２）と、
子供の背中が当るバックシート（５４）と、
これらのボトムシート（５２）及びバックシート（５４）の左右両側に配置されたサイド部（５６）と、
該チャイルドシートの傾斜角度を表示するインジケータ（６０）を有するチャイルドシートにおいて、
該インジケータ（６０）が該サイド部（５６）の上面に配置されており、
該インジケータ（６０）は、
ケース（６１）と、
該ケース（６１）内の支軸（６２）に揺動自在に支持された振り子（６３）と、
該支軸（６２）よりも上方に配置された、該振り子（６３）と一体の指針（６４）と、
該指針（６４）の下側に対面配置された表示面（６５）と、
該表示面（６５）の上面に設けられた、チャイルドシートが所定の傾斜角度にあることを示すゾーン（６８）と、
該ケース（６１）を上方から覆う透明カバー（６６）と
を備えてなるチャイルドシート。
【請求項２】
請求項１において、前記チャイルドシートは、前記ボトムシート（５２）、バックシート（５４）及びサイド部（５６）を一体に備えたシートシェル（５０）と、該シートシェル（５０）を回転可能及びリクライニング可能に保持する基台（２０）とを備えてなるチャイルドシート。
【発明の詳細な説明】
【０００１】
【発明の属する技術分野】
本発明は自動車などの移動体の座席が設置されるチャイルドシートに係り、特に該チャイルドシートの傾斜を示すインジケータを備えたチャイルドシートに関する。
【０００２】
【従来の技術】
この種のインジケータを備えたチャイルドシートは、ＵＳＰ５，０５８，２８３（ＷＯ９２８９５１として国際公開）に記載されている。このチャイルドシートは、子供の臀部が載るボトムシートと、子供の背中が当るバックシートと、これらのボトムシート及びバックシートの左右両側に配置されたサイド部とを備えており、このサイド部の側面（外面）にインジケータが設けられている。このインジケータは、円弧状のボール案内路と、該ボール案内路内に転動自在に収容されたボールと、該ボール案内路に沿って配置された印刷された紙とを備えている。該ボール案内路のボールの位置が紙に印刷された適正範囲内となるようにチャイルドシートが自動車の座席上に設置される。
【０００３】
インジケータをサイド部の側面に設けたチャイルドシートはＵＳＰ３，４９２，０４７にも記載されている。
【０００４】
【発明が解決しようとする課題】
サイド部の側面に設けられたインジケータは極めて見にくい。即ち、チャイルドシートを自動車の座席に設置しようとする大人は、その顔面をサイド部の側面に近づけるように腰を深くかがめる必要がある。
【０００５】
本発明は、インジケータをきわめて視認し易く、従ってチャイルドシートの自動車の座席への取り付け作業が容易となるチャイルドシートを提供することを目的とする。
【０００６】
【課題を解決するための手段】
本発明のチャイルドシートは、子供の臀部が載るボトムシート（５２）と、子供の背中が当るバックシート（５４）と、これらのボトムシート（５２）及びバックシート（５４）の左右両側に配置されたサイド部（５６）と、該チャイルドシートの傾斜角度を表示するインジケータ（６０）を有するチャイルドシートにおいて、該インジケータ（６０）が該サイド部（５６）の上面に配置されており、該インジケータ（６０）は、ケース（６１）と、該ケース（６１）内の支軸（６２）に揺動自在に支持された振り子（６３）と、該支軸（６２）よりも上方に配置された、該振り子（６３）と一体の指針（６４）と、該指針（６４）の下側に対面配置された表示面（６５）と、該表示面（６５）の上面に設けられた、チャイルドシートが所定の傾斜角度にあることを示すゾーン（６８）と、該ケース（６１）を上方から覆う透明カバー（６６）とを備えてなるものである。
【０００７】
かかるチャイルドシートにあっては、インジケータがサイド部の上面に設けられているから、インジケータをきわめて容易に見ることができる。このため、チャイルドシートを自動車の座席に取り付ける作業が容易となる。
【０００８】
このインジケータは、揺動自在な振り子と、該振り子に設けられた指針と、該指針に近接配置された表示面とを備えている。
【００１０】
チャイルドシートは、前記ボトムシート、バックシート及びサイド部を一体に備えたシートシェルと、該シートシェルを回転可能及びリクライニング可能に保持する基台とを備えてなるものであっても良い。
【００１１】
【発明の実施の形態】
図１〜３を参照して実施の形態に係るチャイルドシートの全体構成について説明する。
【００１２】
図１（ａ）は実施の形態に係るチャイルドシートの斜視図であり、シートシェルを後退させた状態を示す。図1（ｂ）は図１（ａ）のチャイルドシートのシートシェルを前進させた状態を示す斜視図である。図２（ａ）は図１（ｂ）の状態からシートシェルを１８０゜回転させたときの斜視図、図２（ｂ）は図２（ａ）の状態でシートシェルをリクライニングさせたときの斜視図、図３はシートシェル、回転板及び基台の分解斜視図である。
【００１３】
このチャイルドシート１０は、車両のシートベルト装置のウェビング（ショルダーウェビング１２及びラップウェビング１４）によって車両の座席（図示略）に固定されるものであり、基台２０と、回転板４０と、シートシェル５０とを備えている。
【００１４】
図３に明瞭に示される通り、基台２０は、車両の座席のシートクッション上に載置される底部２２と、該底部２２の後部から立ち上がり車両の座席のシートバックに沿って配置される起立部２４とを備えてなる。この起立部２４の前面にはウェビング１２、１４が掛止される掛止部２６が設けられている。
【００１５】
底部２２の上面には、回転板４０が係合する凹部２８が設けられている。この凹部２８は、前方側が略円形部分２８ａとなっており後方側が略長方形部分２８ｂとなっており、平面視形状が鍵孔形状となっている。この略長方形部分２８ｂの周壁には張り出し部３０が周設され、凹部２８の底面と張り出し部３０との間の凹陥部分に回転板４０の下板４２の外周縁がスライド自在に入り込む。
【００１６】
この基台２０の底部２２の前部上面にはロックハンドル３６が設けられている。底部２２の後部上面のうち凹部２８の近傍には回転板４０の上板４４の押え部３８が設けられている。凹部２８内には、回転板４０の回転のためのガイドローラ３９が設けられている。
【００１７】
上記の上板４４が下板４２に重ね合わされ、ボルト又はビスあるいは接着剤によって該下板４２に固定され、回転板４０が構成される。この回転板４０は、基台２０の底部２２の上面に沿って前後進及び回転可能である。
【００１８】
シートシェル５０は、子供の臀部が載るボトムシート５２と、子供の背中が当るバックシート５４と、左右両側のサイド部５６とを備えている。一方のサイド部５６の上面にインジケータ６０が設けられている。このインジケータ６０の構成の詳細は後述する。
【００１９】
上板４４の上面には、このシートシェル５０を支承する凸条７０が平行に２条設けられている。この凸条７０は、シートシェル５０がリクライニングしうるように上面がチャイルドシート１０の前後方向において凹曲している。
【００２０】
この上板４４の後部上面には、シートシェル５０に設けられたステー８２（図２）が嵌合するステー嵌合部７４が突設されている。なお、ステー８２の差込孔８４が多段に配置されており、後向きとしたシートシェル５０のリクライニング時の固定角度を変更可能としている。
【００２１】
前記ロックハンドル３６は、回転板４０及びシートシェル５０をロックするためのものである。
【００２２】
このロックハンドル３６を正方向に回すと、凹部２８からピン（図示略）が上方に突出し回転板４０がロックされる。また、起立部２４の上部から側方にピン８６が突出し、シートシェル５０の背面の孔８８に入り込みシートシェル５０がロックされる。この孔８８は上下に多段に設けられており、前方を向いたシートシェル５０のリクライニング角度を調節した後、このリクライニング角度を維持した状態でシートシェル５０を固定することが可能となっている。
【００２３】
図４を参照してインジケータ６０の構成について説明する。
【００２４】
このインジケータ６０は、ケース６１と、該ケース６１内の支軸６２に揺動自在に支持された振り子６３と、この振り子６３と一体の指針６４と、この指針６４と対面する表示面６５と、ケース６１を覆う透明カバー６６とを備えている。
【００２５】
振り子６３は重り６７を備えており、この重り６７が常に鉛直下方を指向する。
【００２６】
表示面６５にはグリーンゾーン６８が印刷や、貼着二色成形等により設けられており、指針６４がこのグリーンゾーン６８内に入るようにチャイルドシートを設置すべしという注意書がこのチャイルドシートの見易いところに表記されている。なお、図示はしないが、このグリーンゾーン６８に隣接してレッドゾーンが設けられている。
【００２７】
このように構成されたチャイルドシート１０の使用方法について次に説明する。
【００２８】
このチャイルドシート１０を自動車の座席に固定するには、まず、ロックハンドル３６を正方向に回してロックを解除し、図１（ｂ）のようにシートシェル５０を前進させるか、又は図２（ａ）,（ｂ）のようにシートシェル５０を前進させてから回す。そして、図３の如く、ウェビング１２，１４を掛止部２６に掛け、チャイルドシート１０を座席に固定する。
【００２９】
チャイルドシート１０を座席に固定した後、正面を向いたシートシェル５０を後退させ、インジケータ６０を見ながらシートシェル５０のリクライニング角度を適正にした後、ロックハンドル３６をロック側に回すことによってシートシェル５０をロックすることにより、チャイルドシート１０を正面向き姿勢にて使用することが可能となる。
【００３０】
シートシェル５０を後向きにして使用するには、ロックハンドル３６を正方向に回してロックを解除した後、シートシェル５０を回転板４０と共に前進させる。回転板４０の下板４２が略円形部分２８ａ内に入り込んだ後、シートシェル５０を１８０゜回転させる。この状態でインジケータ６０を見ながらシートシェル５０をリクライニングさせた後、ステー８２でそのリクライニング角度を保ったまま固定する。
【００３１】
図５〜７を参照して参考例に係るインジケータ９０について説明する。このインジケータ９０は、ケース９１と、該ケース９１に被さる透明カバー９２と、ケース９１内に配置されるローラ９３とを有する。
【００３２】
ケース９１の底部は円弧状に凹に湾曲しており、その上面が表示面９４となっている。この表示面９４にはグリーンゾーン及びレッドゾーンが設けられており、ローラ９３が該グリーンゾーンに入るようにチャイルドシートを設置する。なお、ローラ９３の両端は、ケース９１の底部とカバー９２の下縁との間に形成されるスロット９５に保持される。カバー９２はフック９６と爪９７とを備えており、これらのフック９６及び爪９７がケース９１の開口９８，９９に差し込まれる。これにより、カバー９２のケース９１への連結と共に、インジケータ９０のサイド部５６への取り付けも行われる。
【００３３】
本発明のインジケータ６０は、シートシェル５０のサイド部５６の上面に設けられているので、きわめて視認し易い。そのため、チャイルドシート１０の設置作業やシートシェル５０のリクライニング角度調節をきわめて容易に行うことができる。
【００３４】
なお、上記のチャイルドシート１０によると、シートシェル５０を前進させたり、あるいはさらに回転させて起立部２４から離反させた状態としておいて、ウェビング１２，１４をきわめて簡単に掛止部２６に掛けることができる。また、シートシェル５０を回転させるときには、シートシェル５０を若干前進させてから回転させるので、シートシェル５０と起立部２４とが干渉することがなく、シートシェル５０を回し易い。
【００３５】
【発明の効果】
以上の通り、本発明によると、チャイルドシートの傾斜角度を示すインジケータを視認し易く、チャイルドシートをウェビングで固定する作業が簡単になる。
【図面の簡単な説明】
【図１】  （ａ）は本発明の実施の形態に係るチャイルドシートの斜視図であり、シートシェルを後退させた状態を示す。（ｂ）は（ａ）のチャイルドシートのシートシェルを前進させた状態を示す斜視図である。
【図２】  （ａ）は図１（ｂ）の状態からシートシェルを１８０゜回転させたときの斜視図、（ｂ）は（ａ）の状態でシートシェルをリクライニングさせたときの斜視図である。
【図３】  シートシェル、回転板及び基台の分解斜視図である。
【図４】  本発明の実施の形態に係るインジケータ６０の断面斜視図である。
【図５】  参考例に係るインジケータ９０の分解斜視図である。
【図６】  参考例に係るインジケータ９０の側面図である。
【図７】  参考例に係るインジケータ９０の断面図である。
【図１】
0003890772.tif 000002
【図２】
0003890772.tif 000003
【図３】
0003890772.tif 000004
【図４】
0003890772.tif 000005
【図５】
0003890772.tif 000006
【図６】
0003890772.tif 000007
【図７】
0003890772.tif 000008